(57)【要約】【課題】掃除機ヘッドの回転ブラシに絡み付いた糸状ゴミをスムーズかつ効率的良く切断することができるとともに、切断した糸状ゴミを絡め取ることができる掃除機ヘッド用清掃具を提供する。【解決手段】掬い面２３を回転ブラシ１２の回転軸線１３と平行に近い状態にして掬い体２１で糸状ゴミ２０を掬う際に掃除機ヘッド本体１１における吸込口が設けられる面から相対的に離れる方向に掬い面２３から離隔した位置に持ち手２が配されるようにして該持ち手２と掬い体２１とを一体的に連結し、掬い体２１によって掬われた糸状ゴミ２０を切断するカッター２２をその刃先２６が案内面２４と鈍角βを成す方向に連続するように持ち手２と掬い体２１との間に傾斜配置し、カッター２２で切断した糸状ゴミ２０を絡め取る櫛歯４を持ち手２に設けるものとする。【選択図】図２
2017035317.tif 000002
【特許請求の範囲】
【請求項１】
ゴミを吸い込む吸込口を有する掃除機ヘッド本体と、この掃除機ヘッド本体の前記吸込口に配され、被清掃面と平行な回転軸線を有する回転ブラシとを備え、前記回転ブラシを前記回転軸線の回りに回転させながら被清掃面に接触させることにより、被清掃面に付着した微小なゴミを掻き出すように構成される掃除機ヘッドにおける前記回転ブラシに絡み付いた糸状ゴミを除去する掃除機ヘッド用清掃具であって、
人の手指で持つことができる持ち手と、前記糸状ゴミへの掬い方向に延びる掬い面および該掬い面の基端側に連続しその掬い面に対し鈍角をなして傾斜する案内面を有する先鋭な形状の掬い体とを備え、
前記掬い面を前記回転ブラシの回転軸線と平行に近い状態にして前記掬い体で前記糸状ゴミを掬う際に前記掃除機ヘッド本体における前記吸込口が設けられる面から相対的に離れる方向に前記掬い面から離隔した位置に前記持ち手が配されるようにして該持ち手と前記掬い体とを一体的に連結し、前記掬い体によって掬われた前記糸状ゴミを切断するカッターをその刃先が前記案内面と鈍角を成す方向に連続するように前記持ち手と前記掬い体との間に傾斜配置させて前記持ち手と前記掬い体との間に掬い込んだ前記糸状ゴミを前記掬い面から前記案内面を介して前記刃先上を移動させながら切断するようにし、前記カッターで切断した前記糸状ゴミを絡め取る櫛歯またはブラシを前記持ち手に設けることを特徴とする掃除機ヘッド用清掃具。
【請求項２】
前記持ち手に、先端部が屈曲された鉤形状の引掻き棒が設けられる請求項１に記載の掃除機ヘッド用清掃具。
【発明の詳細な説明】
【技術分野】
【０００１】
本発明は、掃除機ヘッドを清掃するのに用いられて好適な掃除機ヘッド用清掃具に関し、特に、掃除機ヘッドの回転ブラシに絡み付いた髪の毛や糸屑等の糸状ゴミを除去する掃除機ヘッド用清掃具に関するものである。
【背景技術】
【０００２】
近年、掃除機ヘッドは、絨毯や畳等の被清掃面に付着した微小なゴミを効果的に吸い取るために、その吸込み口に回転ブラシが設けられているものが多く、回転ブラシを回転させてブラシを被清掃面に繰り返し接触させることにより、絨毯の毛の奥や畳の内部に入り込んだ微小なゴミを掻き出して吸引するようにしている。
【０００３】
ところが、掃除機ヘッドの吸込口に設けられた回転ブラシには、髪の毛や糸屑等の糸状ゴミが絡みついてしまうことがある。回転ブラシに糸状ゴミが絡み付いてしまうと、糸状ゴミが絡み付いてしまった部分が被清掃面に接触することができなくなって、回転ブラシの微小ゴミ排除効果が著しく低下してしまったり、回転ブラシの回転運動の妨げとなり余計な負荷が作用して故障を招いたりする。回転ブラシの微小ゴミ排除効果を安定的に保ち、故障の発生を未然に防ぐためには、回転ブラシに絡み付いた糸状ゴミを定期的に除去する必要がある。
【０００４】
従来、回転ブラシに絡み付いた糸状ゴミを除去する方法としては、例えば、縫い目やしつけ糸の糸切りに使用される洋裁道具のシームリッパー等を利用するものが知られている。
【０００５】
図４（ａ）に示されるように、シームリッパー１００は、人の手指で持つことができる持ち手１０１と、この持ち手１０１の先端側に真っ直ぐに延設される軸部１０２と、軸部１０２の先端から二股状に分岐して形成される掬い部１０３および掛止部１０４とを備えて構成されている。掛止部１０４は、前方に向かって角状に突出された形状に形成され、一方、掬い部１０３は、軸部１０２の軸線に沿って掛止部１０４よりも長く真っ直ぐに延びる先鋭な形状に形成され、これら掬い部１０３と掛止部１０４との間には、カッター１０５が配設されている。なお、この種のシームリッパー１００は、例えば特許文献１にて提案されている。
【先行技術文献】
【特許文献】
【０００６】
【特許文献１】特開２０１２−５８００号公報
【０００７】
上記のシームリッパー１００等を用いて回転ブラシ１０６に絡み付いた糸状ゴミ１０７を除去する方法は、以下の通りである。
まず、図４（ｂ）に示されるように、シームリッパー１００における掬い部１０３と掛止部１０４との間に糸状ゴミ１０７を掬い込むようにシームリッパー１００を回転ブラシ１０６に差し込み、掬い部１０３と掛止部１０４との間に設けられたカッター１０５に糸状ゴミ１０７を押し当てながらシームリッパー１００を押し進めることで、糸状ゴミ１０７をカッター１０５で押し切るという動作を連続的に行うことにより、回転ブラシ１０６に絡み付いた糸状ゴミ１０７を切断する。そして、図４（ｄ）に示されるように、切断した糸状ゴミ１０７を使い古しの歯ブラシ１０８を用いて絡め取る。
【０００８】
ところで、シームリッパー１００においては、図４（ｂ）に示されるように、掬い部１０３をできる限り回転ブラシ１０６の回転軸線１０９と平行に近い状態にして糸状ゴミ１０７を掬い、掬い部１０３を回転軸線１０９と平行に近い状態に維持したままカッター１０５で押し切るようにすれば、糸状ゴミ１０７を掬う際の摩擦抵抗が最小限に抑えられるとともに、糸状ゴミ１０７を押し切る際の切断力が適切に作用して、糸状ゴミ１０７をスムーズに切断することができる。
【０００９】
上述したように、シームリッパー１００は、図４（ａ）に示されるように、持ち手１０１、軸部１０２および掬い部１０３が一直線上に配設されるという構造であるため、掬い部１０３を回転軸線１０９と平行に近い状態にして回転ブラシ１０６に絡み付いた糸状ゴミ１０７を押し切るためには、図４（ｂ）に示されるように、シームリッパー１００の全体を回転軸線１０９と平行に近い状態にして押し進めることになる。この場合、掬い部１０３および軸部１０２までは回転ブラシ１０６に沿うように押し進めることができるものの、それ以上押し進めようとすると、回転ブラシ１０６を支持する掃除機ヘッド本体１１０に持ち手１０１が突き当たるため、シームリッパー１００を回転軸線１０９と平行に近い状態でそれ以上押し進めることができない。そこで、掃除機ヘッド本体１１０と持ち手１０１との干渉を防ぐため、途中からは、図４（ｃ）に示されるように、シームリッパー１００を回転軸線１０９に対し所定の傾斜角度θを持たせた状態で押し進めることになる。
【００１０】
図４（ｃ）に示されるようなシームリッパー１００による糸状ゴミ１０７の掬い・切断動作の場合では、回転軸線１０９に対し傾斜角度θを持たせた状態の掬い部１０３が糸状ゴミ１０７を掬いつつカッター１０５で切断を行うことになるため、掬い部１０３を回転軸線１０９と平行に近い状態にして糸状ゴミ１０７を掬う場合と比べて摩擦抵抗が増えるとともに、掬い部１０３を回転軸線１０９と平行に近い状態にして糸状ゴミ１０７をカッター１０５で切断する場合と比べて、糸状ゴミ１０７対してカッター１０５の刃先が直角に近い状態で強引に押し切る状態となって切断抵抗が増加することになり、糸状ゴミ１０７をスムーズに切断することができないという問題点がある。
また、傾斜角度θを持たせた状態の掬い部１０３を一気に押し進めると、勢い余って回転ブラシ１０６の根本深くに食い込んでそれ以上シームリッパー１００を押し進めることができなくなったり、回転ブラシ１０６のブラシ部分を傷付けたりする恐れがあるため、シームリッパー１００を間欠的に押し進めて糸状ゴミ１０７を切断しなければならず効率が悪いという問題点がある。
【００１１】
さらに、上記のシームリッパー１００等を用いた糸状ゴミ１０７の除去方法では、シームリッパー１００とは別に、使い古しの歯ブラシ１０８を用意しなければならず、面倒であるという問題点がある。
【発明の概要】
【発明が解決しようとする課題】
【００１２】
本発明は、前述のような問題点に鑑みてなされたもので、掃除機ヘッドの回転ブラシに絡み付いた糸状ゴミをスムーズかつ効率的良く切断することができるとともに、切断した糸状ゴミを絡め取ることができる掃除機ヘッド用清掃具を提供することを目的とするものである。
【課題を解決するための手段】
【００１３】
前記目的を達成するために、本発明による掃除機ヘッド用清掃具は、
ゴミを吸い込む吸込口を有する掃除機ヘッド本体と、この掃除機ヘッド本体の前記吸込口に配され、被清掃面と平行な回転軸線を有する回転ブラシとを備え、前記回転ブラシを前記回転軸線の回りに回転させながら被清掃面に接触させることにより、被清掃面に付着した微小なゴミを掻き出すように構成される掃除機ヘッドにおける前記回転ブラシに絡み付いた糸状ゴミを除去する掃除機ヘッド用清掃具であって、
人の手指で持つことができる持ち手と、前記糸状ゴミへの掬い方向に延びる掬い面および該掬い面の基端側に連続しその掬い面に対し鈍角をなして傾斜する案内面を有する先鋭な形状の掬い体とを備え、
前記掬い面を前記回転ブラシの回転軸線と平行に近い状態にして前記掬い体で前記糸状ゴミを掬う際に前記掃除機ヘッド本体における前記吸込口が設けられる面から相対的に離れる方向に前記掬い面から離隔した位置に前記持ち手が配されるようにして該持ち手と前記掬い体とを一体的に連結し、前記掬い体によって掬われた前記糸状ゴミを切断するカッターをその刃先が前記案内面と鈍角を成す方向に連続するように前記持ち手と前記掬い体との間に傾斜配置させて前記持ち手と前記掬い体との間に掬い込んだ前記糸状ゴミを前記掬い面から前記案内面を介して前記刃先上を移動させながら切断するようにし、前記カッターで切断した前記糸状ゴミを絡め取る櫛歯またはブラシを前記持ち手に設けることを特徴とするものである（第１発明）。
【００１４】
本発明において、前記持ち手に、先端部が屈曲された鉤形状の引掻き棒が設けられるのが好ましい（第２発明）。
【発明の効果】
【００１５】
本発明の掃除機ヘッド用清掃具によれば、掬い面を回転ブラシの回転軸線と平行に近い状態にして回転ブラシに絡み付いた糸状ゴミを掬う際に掃除機ヘッド本体における吸込口が設けられる面から相対的に離れる方向に掬い面から離隔した位置に持ち手が配される構造によって、回転ブラシに絡み付いた糸状ゴミを回転ブラシの回転軸線と平行に近い状態にした掬い面で掬いつつカッターで切断する動作を回転ブラシの一端から他端まで行っても持ち手が掃除機ヘッド本体に干渉することがなくなり、掬い面を回転ブラシの回転軸線に平行に近い状態にして糸状ゴミを掬いつつカッターで押し切る動作を、回転ブラシの一端から他端まで一気に行うことができる。また、掬い面によって掬われた糸状ゴミは、その掬い面に対し鈍角をなして傾斜する案内面によってカッターの刃先へとスムーズに案内され、その案内面と鈍角を成す方向に連続する刃先上を刃先が連続する方向に移動することで所謂引き切りと同様にして切断される。この引き切りと同様の切断動作においては、カッターの見かけ上の刃先角度が鋭くなるので、糸状ゴミに対する切断抵抗が少なくなり、糸状ゴミに対しより効果的に切断力を作用させることができる。したがって、回転ブラシに絡み付いた糸状ゴミをスムーズかつ効率的良く切断することができる。
また、使い古しの歯ブラシを別途用意し、この歯ブラシを用いて、切断した糸状ゴミを除去しなくても、持ち手に設けられた櫛歯またはブラシを用いて、切断した糸状ゴミを絡め取って除去することができ、作業効率の向上を図ることができる。
【００１６】
また、第２発明の構成を採用することにより、回転ブラシに局部的に強固に絡み付いた糸状ゴミでも引掻き棒で引っ掻いて容易に取り除くことができる。
【図面の簡単な説明】
【００１７】
【図１】図１は、本発明の一実施形態に係る掃除機ヘッド用清掃具を示す図で、（ａ）は正面図、（ｂ）は底面図である。
【図２】図２は、同掃除機ヘッド用清掃具を用いた糸状ゴミの除去動作の説明図である。
【図３】図３は、図２（ｂ）のＢ部拡大図である。
【図４】図４は、従来技術の説明図である。
【発明を実施するための形態】
【００１８】
次に、本発明による掃除機ヘッド用清掃具の具体的な実施の形態について、図面を参照しつつ説明する。
【００１９】
＜掃除機ヘッド用清掃具の概略説明＞
図１（ａ）に示される掃除機ヘッド用清掃具１は、掃除機ヘッド１０（図２（ａ）〜（ｆ）参照）を清掃するためのものであって、全体の外観視が魚形状に形成されており、魚の頭部および胴部を模した、人の手指で持つことができる所定厚みの板状の持ち手２を備えている。
持ち手２の一側の板面２ａ（以下、単に「表面２ａ」という。）には、魚の目や口、エラ等を示す図柄が刻設されている。一方、図１（ｂ）に示されるように、持ち手２の他側の板面２ｂ（以下、単に「裏面２ｂ」という。）には、図柄等が刻設されておらず、持ち手２の裏面２ｂは平坦な面に形成されている。
図１（ａ）に示されるように、掃除機ヘッド用清掃具１においては、模擬した魚の頭部に相当する部位である持ち手２の一端部に引掻き棒３が突設され、模擬した魚の胴部の末端部に相当する部位である持ち手の他端部に魚の尾部を模するように複数の櫛歯４が突設され、模擬した魚の背部を含む部位である持ち手２の一側部に魚の背びれを模するようにリッパー５が配設され、模擬した魚の腹部を含む部位である持ち手２の他側部に魚の腹びれおよび尻びれを模するように所要のひれ状突起６が突設されている。
【００２０】
＜掃除機ヘッドの説明＞
図２（ａ）に示されるように、掃除機ヘッド１０は、ゴミを吸い込む吸込口を有する掃除機ヘッド本体１１と、この掃除機ヘッド本体１１の吸込口に配設される回転ブラシ１２とを備えて構成されている。回転ブラシ１２は、掃除機ヘッド本体１１に両端部が支承されて絨毯や畳等の被清掃面と平行な回転軸線１３の回りに回転可能な回転軸１４を備え、この回転軸１４にブラシ１５が被清掃面に接触可能に取り付けられてなるものである。なお、図２（ａ）〜（ｆ）において、掃除機ヘッド１０は、説明の都合上、掃除機ヘッド本体１１の吸込口を上方に向けた状態を示している。
掃除機ヘッド１０においては、回転ブラシ１２を回転軸線１３の回りに回転させながら被清掃面に繰り返し接触させることにより、絨毯の毛の奥や畳の内部に入り込んだ微小なゴミを掻き出して吸引することができるようになっている。
【００２１】
＜リッパーの説明＞
図２（ｂ）のＢ部拡大図である図３に示されるように、リッパー５は、回転ブラシ１２に絡み付いた糸状ゴミ２０を掬う掬い体２１と、この掬い体２１で掬った糸状ゴミ２０を切断するカッター２２とにより構成されている。
【００２２】
＜掬い体の説明＞
掬い体２１は、やや湾曲した基部から先端に向かって進むに従って次第に真っ直ぐに細長く延びる先鋭な形状に形成され、糸状ゴミ２０への掬い方向に延びる掬い面２３と、この掬い面２３の基端側に連続しその掬い面２３に対し鈍角αをなして傾斜する案内面２４と、この案内面２４の基端側に連続し掬い方向の反対側に凹むように湾曲する凹湾曲面２５とを有している。
【００２３】
＜掬い体と持ち手との位置関係の説明＞
掬い体２１に対し持ち手２は、掬い面２３を回転ブラシ１２の回転軸線１３と平行に近い状態にして掬い体２１で糸状ゴミ２０を掬う際に掃除機ヘッド本体１１における吸込口が設けられる面から相対的に離れる方向（図３中記号Ｃ矢印方向）に掬い面２３から所定距離離隔した位置に配され、このような位置関係で持ち手２と掬い体２１とが一体的に連結されている。
ここで、掬い体２１における掬い面２３、案内面２４および凹湾曲面２５と持ち手２との間には、それぞれ所定の隙間が設けられており、各隙間は、糸状ゴミ２０を受け入れるのには十分な大きさであるが、人の指が入り込まない大きさに設定されており、たとえ持ち手２と掬い体２１との間に人の指が差し掛かっても、持ち手２と掬い体２１との間に指が入り込まないようにして、万が一にもカッター２２で指を切るようなことがないようにされている。
【００２４】
＜カッターの説明＞
カッター２２は、その刃先２６が案内面２４と鈍角βを成す方向に連続するように持ち手２と掬い体２１との間において傾斜状態で凹湾曲面２５から突出するように配置されている。こうして、持ち手２と掬い体２１との間に掬い込んだ糸状ゴミ２０を掬い面２３から案内面２４を介して刃先２６上を刃先２６が連続する方向に移動させながら切断することができるようになっている。
【００２５】
＜櫛歯の説明＞
図１（ａ）および（ｂ）に示される複数の櫛歯４は、カッター２２で切断した糸状ゴミ２０を絡め取るためのものである。
持ち手２の裏面２ｂが図１（ｂ）中二点鎖線で示される仮想の水平面３０と向かい合わせとなるように掃除機ヘッド用清掃具１をその水平面３０上に載置したような姿勢において、各櫛歯４は、その基部３１が持ち手２の他端部から外側に向けて上方に傾斜するように延び、中間部３２が上凸の円弧を描くように屈曲し、先端が水平面３０よりもやや手前に位置するように先端部３３が水平面３０に向けて伏臥するように湾曲した形状に形成されている。
なお、図示による詳細な説明は省略するが、櫛歯４に代えて例えば合成樹脂製の複数の硬い毛よりなるブラシを採用しても良い。
【００２６】
各櫛歯４においては、中間部３２を上凸の円弧を描くように屈曲させることにより、その中間部３２の円弧形状の内側に、絡め取った糸状ゴミ２０を溜めるための糸状ゴミ溜り部３４が形成される。
【００２７】
また、各櫛歯４においては、持ち手２の裏面２ｂが水平面３０と向い合わせとなるように掃除機ヘッド用清掃具１をその水平面３０上に載置したときに、櫛歯４の先端が水平面３０に接触しないようにされているので、持ち手２が水平面３０から浮き上がることがなく、持ち手２の裏面２ｂを水平面３０にぴったりと接触させた状態で水平面３０上に掃除機ヘッド用清掃具１を載置することができる。
【００２８】
＜引掻き棒の説明＞
図１（ａ）に示されるように、引掻き棒３は、先端部が屈曲された鉤形状に形成されており、持ち手２の一端から先方に向かって進むに従って持ち手２の他側部から一側部に向かう方向（図１（ａ）中記号Ａ矢印方向）に次第に傾斜する傾斜棒部４１に、持ち手２側に近づくように屈曲される屈曲部４２を介して先端機能部４３が一体的に連設されてなり、回転ブラシ１２の回転軸１４やブラシ１５に局部的に強固に絡み付いた糸状ゴミ２０でも先端機能部４３で引っ掻けて穿り出すことができるようになっている。
【００２９】
＜糸状ゴミの除去動作の説明＞
以上に述べたように構成される掃除機ヘッド用清掃具１を用いて、回転ブラシ１２に絡み付いた糸状ゴミ２０を除去する動作は、以下の通りである。
まず、図２（ａ）に示されるように、所要のひれ状突起６が突設されている持ち手２の他側部側を図の上側に向けた状態で持ち手２を手指で掴んで持ち、掃除機ヘッド１０の回転ブラシ１２に向けて掬い体２１を近づけていき、回転ブラシ１２に絡み付いた髪の毛や糸屑等の糸状ゴミ２０と回転軸１４との間に掬い体２１を差し込み、図３に示されるように、掬い体２１の掬い面２３を回転軸線１３と平行に近い状態にする。
この図３に示されるように、掬い面２３を回転軸線１３と平行に近い状態に保ちながら、図２（ｂ）〜（ｃ）に示されるように、糸状ゴミ２０に向かって掃除機ヘッド用清掃具１を押し進め、図３に示されるように、掬い体２１と持ち手２の間の奥側に糸状ゴミ２０を掬い込んでいく。このとき、掬い面２３によって掬われた糸状ゴミ２０は、その掬い面２３に対し鈍角αをなして傾斜する案内面２４によってカッター２２の刃先２６へとスムーズに案内され、その案内面２４と鈍角βを成す方向に連続する刃先２６上を刃先２６が連続する方向に移動しながら切断される。
【００３０】
図２（ａ）〜（ｃ）に示されるような、掬い面２３を回転軸線１３に平行に近い状態にして回転ブラシ１２の一端から他端まで糸状ゴミ２０を掬いつつカッター２２で押し切る動作を、回転ブラシ１２の角度位置を変えて所要回数繰り返し行う。
【００３１】
そして、図２（ｄ）に示されるように、持ち手２の一端部側（引掻き棒３が設けられている側）を手指で掴むように持ち手２を持ち替え、持ち手２の他端部側に設けられた複数の櫛歯４を用いて、図２（ｄ）〜（ｆ）に示されるように、切断した糸状ゴミ２０を絡め取る。このとき、絡め取った糸状ゴミ２０は、糸状ゴミ溜り部３４（図１（ｂ）参照）に溜められていく。
【００３２】
なお、図２（ｇ）に示されるように、回転ブラシ１２の回転軸１４やブラシ１５に局部的に強固に絡み付いた糸状ゴミ２０に対しては、引掻き棒３を用いて除去する。すなわち、引掻き棒３の先端機能部４３（図１（ａ）参照）を、回転軸１４やブラシ１５に局部的に強固に絡み付いた糸状ゴミ２０に引っ掛け、穿り出す、あるいは引きちぎる。
【００３３】
本実施形態の掃除機ヘッド用清掃具１によれば、図３に示されるように、掬い面２３を回転ブラシ１２の回転軸線１３と平行に近い状態にして回転ブラシ１２に絡み付いた糸状ゴミ２０を掬う際に掃除機ヘッド本体１１における吸込口が設けられる面から相対的に離れる方向（図３中記号Ｃ矢印方向）に掬い面２３から所定距離離隔した位置に持ち手２が配される構造によって、回転ブラシ１２に絡み付いた糸状ゴミ２０を回転ブラシ１２の回転軸線１３と平行に近い状態にした掬い面２３で掬いつつカッター２２で切断する動作を回転ブラシ１２の一端から他端まで行っても持ち手２が掃除機ヘッド本体１１に干渉することがなくなり、掬い面２３を回転ブラシ１２の回転軸線１３に平行に近い状態にして糸状ゴミ２０を掬いつつカッター２２で押し切る動作を、図２（ａ）〜（ｃ）に示されるように、回転ブラシ１２の一端から他端まで一気に行うことができる。また、掬い面２３によって掬われた糸状ゴミ２０は、図３に示されるように、その掬い面２３に対し鈍角αをなして傾斜する案内面２４によってカッター２２の刃先２６へとスムーズに案内され、その案内面２４と鈍角βを成す方向に連続する刃先２６上を刃先２６が連続する方向に移動することで所謂引き切りと同様にして切断される。この引き切り同様の切断動作においては、カッター２２の見かけ上の刃先角度が鋭くなるので、糸状ゴミ２０に対する切断抵抗が少なくなり、糸状ゴミ２０に対しより効果的に切断力を作用させることができる。したがって、回転ブラシ１２に絡み付いた糸状ゴミ２０をスムーズかつ効率的良く切断することができる。
【００３４】
なお、カッター２２は、案内面２４の基端側に連続し掬い方向の反対側に凹むように湾曲する凹湾曲面２５から突出するように配置されているので、切断された糸状ゴミ２０がカッター２２の周辺部位に引っ掛かることがなく、カッター２２と凹湾曲面２５との間の空間から切断した糸状ゴミ２０を外方にスムーズに逃すことができ、糸状ゴミ２０の切断動作をより安定的に行くことができる。
【００３５】
また、従来のように使い古しの歯ブラシ１０８（図４（ｄ）参照）を別途用意し、この歯ブラシ１０８を用いて、切断した糸状ゴミ２０を除去しなくても、持ち手２に設けられた複数の櫛歯４を用いて、切断した糸状ゴミ２０を絡め取って除去することができ、作業効率の向上を図ることができる。
【００３６】
また、本実施形態の掃除機ヘッド用清掃具１における各櫛歯４においては、図２（ｅ）〜（ｆ）に示されるように、絡め取った糸状ゴミ２０が糸状ゴミ溜り部３４（図１（ｂ）参照）に溜められるので、糸状ゴミ２０を絡め取る動作をある程度連続的に行うことができ、糸状ゴミ２０の絡め取り作業の効率を向上させることができる。
【００３７】
また、本実施形態の掃除機ヘッド用清掃具１における各櫛歯４においては、図１（ｂ）に示されるように、掃除機ヘッド用清掃具１を持ち手２の裏面２ｂが水平面３０と向い合わせでその水平面３０上に載置したときに、櫛歯４の先端が水平面３０に接触しないようにされて、持ち手２が水平面３０から浮き上がることがなく、持ち手２の裏面２ｂを水平面３０にぴったりと接触させることができるようにされている。このことは、例えば掃除機ヘッド本体１１や掃除機本体（図示省略）のボディーにおける平坦面を、掃除機ヘッド用清掃具１の取り付けのための取付面３５とした場合において、持ち手２の裏面２ｂをその取付面３５にぴったりと接触させることができるということと同等であると言える。したがって、その取付面３５として磁性体の性質を有する面を選ぶ、あるいはその取付面３５に別途用意した磁性体（鉄板等：図示省略）を貼り付け、一方、持ち手２の裏面２ｂに磁石体３６を埋設するようにすれば、取付面３５と持ち手２との間に作用するそれら磁石体３６と磁性体による磁力によって掃除機ヘッド用清掃具１を取付面３５にワンタッチで安定的に取り付けることができる（勿論、ワンタッチで取り外すこともできる）。
【００３８】
本実施形態の掃除機ヘッド用清掃具１における引掻き棒３においては、図１（ａ）に示されるように、持ち手２の一端から先方に向かって進むに従って持ち手２の他側部から一側部に向かう方向（図１（ａ）中記号Ａ矢印方向）に次第に傾斜する傾斜棒部４１に、持ち手２側に近づくように屈曲される屈曲部４２を介して先端機能部４３が一体的に連設されているので、奥まった狭い領域の部分に絡み付いた糸状ゴミ２０、例えば、図２（ｇ）に示されるように、掃除機ヘッド本体１１と回転ブラシ１２との境界位置で露出された回転軸１４の一部に絡み付いた糸状ゴミ２０に対しても先端機能部４３を容易に引っ掛けることができるので、奥まった狭い領域の部分に絡み付いた糸状ゴミ２０でも容易に除去することができる。
【００３９】
以上、本発明の掃除機ヘッド用清掃具について、一実施形態に基づいて説明したが、本発明は上記実施形態に記載した構成に限定されるものではなく、その趣旨を逸脱しない範囲において適宜その構成を変更することができるものである。
【産業上の利用可能性】
【００４０】
本発明の掃除機ヘッド用清掃具は、掃除機ヘッドの回転ブラシに絡み付いた糸状ゴミをスムーズかつ効率的良く切断することができるとともに、切断した糸状ゴミを絡め取ることができるという特性を有していることから、掃除機ヘッドの回転ブラシに絡み付いた糸状ゴミの除去の用途に好適に用いることができ、産業上の利用可能性が大である。
【符号の説明】
【００４１】
１    掃除機ヘッド用清掃具
２    持ち手
３    引掻き棒
４    櫛歯
５    リッパー
１０  掃除機ヘッド
１１  掃除機ヘッド本体
１２  回転ブラシ
１３  回転軸線
２０  糸状ゴミ
２１  掬い体
２２  カッター
２３  掬い面
２４  案内面
２６  刃先
【図１】
2017035317.tif 000003
【図２】
2017035317.tif 000004
【図３】
2017035317.tif 000005
【図４】
2017035317.tif 000006